(57)【特許請求の範囲】
【請求項１】
絵本の所定頁に対して、ミシン目金型により微細なミシン目からなる切り込みを入れる工程と、
前記微細なミシン目からなる切り込みを外し、前記絵本の所定頁において前記切り込みの形状に対応する穴若しくは切り片及び開口を形成する工程と
を具え、前記ミシン目金型により形成される前記微細なミシン目は、前記切り込みを外した後の前記穴若しくは切り片及び開口の切り口が鈍い滑らかな切り口として形成されるようにするものであることを特徴とする絵本の製造方法。
【請求項２】
請求項１に記載の製造方法によって製造された絵本であって、当該絵本において設けられた切り抜き穴若しくは切り片及び開口が、前記微細なミシン目切り込みによって鈍い滑らかな切り口として形成された切り抜き穴若しくは切り片及び開口からなっていることを特徴とする絵本。
【発明の詳細な説明】
【技術分野】
【０００１】
本発明は、所定頁において切り抜き穴又は切り片及び開口を有する絵本の製造方法及び絵本に関する。
【背景技術】
【０００２】
任意の模様の穴又は切り込みを有する絵本にあっては、従来は、所定の形状の穴又は切り込みを直接的に裁断する刃物（金型）を用いて、該形状の穴又は切り込みを直接的に打ち抜くようにしていた（例えば特許文献１）。特殊な立体絵本の製造にあたって、２枚の用紙を貼り合わせた状態でそのうち１枚の用紙を山又は谷状に折り曲げるような状態を形成できるようにするために、貼り合わせの前に、１枚の用紙に対してもミシン目加工による半抜きを行い、その貼り合わせを行った後、ミシン目の部分を分断し、山又は谷を折り起こすようにすることがなされている（例えば特許文献２）。
【先行技術文献】
【特許文献】
【０００３】
【特許文献１】特公平６−３０９７７号公報
【特許文献２】特開２００１−３０６６１号公報
【発明の概要】
【発明が解決しようとする課題】
【０００４】
従来の絵本においては、所定の形状の穴又は切り込みを直接的に裁断する刃物（金型）を用いて、該形状の穴又は切り込みを直接的に打ち抜くようにしていたので、切り口が連続的で鋭いものとなり、その切り口で読者（主に幼児）の指を傷つけることがある、という問題があった。一方、特許文献２においては、一部にミシン目加工による半抜きを行う工程が取り入れられているが、これは、貼り合わせ作業との兼ね合いで取り入れられているものにすぎず、所定頁において所定の形状の切り抜き穴若しくは切り込み及び開口を打ち抜くことを目的とするものではなく、また、鋭い切り口が生じることを改善しようとすることを目的とするものでもなかった。
【０００５】
本発明は、上述の点に鑑みてなされたもので、絵本において、切り抜き穴若しくは切り込みを打ち抜いた部分で鋭い切り口が生じることを防ぎ、もって、読者（主に幼児）の指を傷つけることがない、安全な絵本を提供できるようにすることを目的とする。
【課題を解決するための手段】
【０００６】
本発明に係る絵本の製造方法は、絵本の所定頁に対して、ミシン目金型により微細なミシン目からなる切り込みを入れる工程と、前記微細なミシン目からなる切り込みを外し、前記絵本の所定頁において前記切り込みの形状に対応する穴若しくは切り片及び開口を形成する工程とを具え、前記ミシン目金型により形成される前記微細なミシン目は、前記切り込みを外した後の前記穴若しくは切り片及び開口の切り口が鈍い滑らかな切り口として形成されるようにするものであることを特徴とする。
【０００７】
本発明によれば、所定の形状の穴又は切り込みを直接的に裁断する刃物（金型）を用いることなく、ミシン目金型により微細なミシン目からなる切り込みを入れるようにしている。そして、その後に、微細なミシン目からなる切り込みを外し、当該絵本の所定頁において前記切り込みの形状に対応する穴若しくは切り片及び開口を形成し、該穴若しくは切り片及び開口の切り口が鈍い滑らかな切り口として形成されるようにしている。これにより、切り抜き穴若しくは切り込み及び開口を打ち抜いた部分で連続する鋭い切り口が生じることがなくなり、それらの切り口が鈍い滑らかなものとなる。従って、本発明に係る製造方法を実施した完成品たる絵本に手を触れる読者（主に幼児）の指を傷つけることがない、という優れた効果を奏する。
【０００８】
また、本発明に係る絵本は、上述の製造方法によって製造された絵本であって、当該絵本において設けられた切り抜き穴若しくは切り片及び開口が、前記微細なミシン目切り込みによって鈍い滑らかな切り口として形成された切り抜き穴若しくは切り片及び開口からなっていることを特徴とする。これによっても、本発明に係る絵本においては、切り抜き穴若しくは切り込み及び開口を打ち抜いた部分で鋭い切り口が生じないので、読者（主に幼児）の指を傷つけることがない、という優れた効果を奏する。
【図面の簡単な説明】
【０００９】
【図１】本発明の一実施例を示す流れ図。
【図２】図１の第１の工程において刷本で打ち抜くべき穴又は切り込みの模様の一例を示す図。
【図３】裁断された２ページからなる印刷物（枚葉紙）を折り曲げた図。
【図４】１つの頁の印刷物（枚葉紙）が貼り合わされた状態を示す図。
【図５】本発明の別の実施例を示す流れ図。
【発明を実施するための形態】
【００１０】
以下、添付図面を参照して本発明の一実施例を詳細に説明する。
【００１１】
本発明の第１の実施例として、合紙絵本の製造工程において、前記特許文献１に示されたように合紙を行う前の刷本の段階で切り抜き穴若しくは切り込みの加工形成を行う手法を採用する場合において本発明を適用する例を示す。
【００１２】
図１はこの発明に係る合紙絵本の製造方法の手順の一例を示す流れ図である。第１の工程では、合紙を行う前の刷本（平台）に対して、ミシン目刃物（金型）により予めデザインした任意の模様の切り込み穴又は切り込みを、微細なミシン目からなる切り込みとして形成する。勿論、刷本には所定の絵あるいは模様などが印刷されており、微細なミシン目からなる切り込みとして形成すべき穴又は切り込みの模様はこの印刷された絵あるいは模様などに適合しているものである。この第１の工程において刷本２０で打ち抜くべき穴又は切り込みの模様の一例を示すのが図２である。図２において実線は微細なミシン目からなる切り込み、破線は折り目（但し、刷本の状態では実際には折り目は入っていない）を示す。例えば、ページＰ２とページＰ３、ページＰ４とページＰ５、ページＰ６とページＰ７、ページＰ８とページＰ９、ページＰ１０とページＰ１１、ページＰ１２とページＰ１３、ページＰ１４とページＰ１５、が夫々互いに貼り合せるべきページであるとする。互いに貼り合せるべきページであるＰ２とＰ３には所定の模様の穴Ｈ１，Ｈ１’が対称位置にかつ対称形状で微細なミシン目にて形成される。また、Ｐ４とＰ５には別の穴Ｈ２，Ｈ２’が対称位置にかつ対称形状で微細なミシン目にて形成される。更に、Ｐ６とＰ７あるいはＰ８とＰ９にも別の穴Ｈ３，Ｈ３’あるいはＨ４，Ｈ４’が夫々対称位置にかつ対称形状で微細なミシン目にて形成される。ページＰ１０とＰ１１には所定の模様の切り込みＣ１，Ｃ１’が対称位置にかつ対称形状で微細なミシン目にて形成される。
【００１３】
図２に示すように穴又は切り込みの打ち抜きが施された刷本（平台）は、次に、所定の２ページごとの枚葉紙（図ではＰ１とＰ２，Ｐ３とＰ４，Ｐ５とＰ６，Ｐ７とＰ８，・・・）に裁断される。裁断された２ページからなる印刷物（つまり枚葉紙）１０は裏面１０ｂを外にして折り目の位置で図３（ａ）のように折り曲げられる。それから第２の工程に移される。
【００１４】
第２の工程では、印刷物１０の裏面１０ｂに接着剤を塗布する。第３の工程では、印刷物の隣接ページの裏面同士を貼り合せて合紙を行う。つまり、上述のように片方の裏面１０ｂに接着剤が塗布された印刷物１０の接着剤塗布面と、これに貼り合せるべき別の印刷物１０′（図３（ｂ））の一方の裏面１０ｂ′とを貼り合せる。例えば、図２のページＰ１及びＰ２からなる印刷物とページＰ３及びＰ４からなる印刷物のＰ２とＰ３を貼り合せると、ページＰ２，Ｐ３の穴Ｈ１，Ｈ１’のミシン目が一致するようになる。また、図２のページＰ９及びＰ１０からなる印刷物とページＰ１１及びＰ１２からなる印刷物のＰ１０とＰ１１を貼り合せると、切り込みＣ１，Ｃ１’のミシン目が一致するようになる。
【００１５】
第４の工程では、合紙された各頁において、微細なミシン目からなる切り込みを外し（分離し）、該切り込みの形状に対応する切り抜き穴Ｈ１，Ｈ２，Ｈ３，Ｈ４、切り片Ｃ１及び該切り片Ｃ１に対応する開口をそれぞれ形成する。この第４の工程におけるミシン目の外し（分離）作業は人手によって行ってもよいし、あるいは適宜の手段で自動的に行うようにしてもよい。こうして、所定の頁において切り抜き穴Ｈ１，Ｈ２，Ｈ３，Ｈ４若しくは切り片Ｃ１及び該切り片Ｃ１に対応する開口がそれぞれ形成された合紙絵本が完成する。この場合、各切り抜き穴Ｈ１，Ｈ２，Ｈ３，Ｈ４の箇所は開口のみからなるが、切り片Ｃ１及び該切り片Ｃ１に対応する開口の箇所は、図４に示すように、該切り片Ｃ１，Ｃ１’の貼り合わせ部分を扉のように開け閉めできるものが出来上がる。
【００１６】
本発明に従って製造された合紙絵本においては、各切り抜き穴Ｈ１，Ｈ２，Ｈ３，Ｈ４若しくは切り片Ｃ１及び該切り片Ｃ１に対応する開口が、微細なミシン目からなる切り込みを外す（分離する）ことで形成されるので、それらの切り口が鋭いものとならず、鈍い滑らかなものとなる。従って、その切り口で読者（主に幼児）の指を傷つけることがない。なお、本発明に従って製造された合紙絵本において、当該絵本において設けられたすべての切り抜き穴Ｈ１，Ｈ２，Ｈ３，Ｈ４若しくは切り片Ｃ１及び該切り片Ｃ１に対応する開口が、微細なミシン目切り込みにより形成された切り抜き穴若しくは切り片及び開口からなっているものとすることにより、完全に安全な合紙絵本を提供することができる。
【００１７】
なお、上記実施例では微細なミシン目からなる切り込みを外す（分離する）工程を第４の工程としているが、これに限らず、前記第１の工程の次に行うようにしてもよい。すなわち、前記第１の工程→前記第４の工程→前記第２の工程→前記第３の工程の順で処理してもよい。
【００１８】
本発明の第２の実施例として、図５に示すように、隣り合うページ同士の合紙（貼り合わせ）を行った後に、所定頁において所定のミシン目刃物（金型）を用いて所定の切り抜き穴若しくは切り込みを微細なミシン目として加工形成し、その後、微細なミシン目からなる切り込みを外す（分離する）ようにしてもよい。
【００１９】
本発明は、合紙本以外の絵本においても適用可能である。
【符号の説明】
【００２０】
１０  印刷物（枚葉紙）
２０  刷本
Ｈ１，Ｈ２，Ｈ３，Ｈ４  切り抜き穴
Ｃ１  切り片
【図１】
0005395546.tif 000002
【図２】
0005395546.tif 000003
【図３】
0005395546.tif 000004
【図４】
0005395546.tif 000005
【図５】
0005395546.tif 000006